(57)【要約】【課題】簡単な構造で搬送の支障を生じることなく、騒音の低減を図ることができるようにする。【解決手段】冷蔵庫本体２の底面に取付けられた手掛部１０には前板カバー８が装着されている。この前板カバー８は、手掛部１０間において後方に延設され、その延設部１５の後端に遮蔽部材１６が装着されている。この遮蔽部材１６は、下方に垂下がったヒレ部１８を有して形成されており、そのヒレ部１８が設置面Ａに接触している。冷蔵庫１の機械室からの騒音が冷蔵庫本体２の底面と設置面Ａとの間の空間部を通過するにしても、遮蔽部材１６で遮蔽されるので、冷蔵庫１の前方に放射される騒音を低減することができる。【選択図】図１
2007139271.tif 000002
【特許請求の範囲】
【請求項１】
冷蔵庫本体の最下端に前板カバーを装着した冷蔵庫において、
前記前板カバーに、前記冷蔵庫本体の底面と設置面との間に形成される空間部の前後方向を遮蔽する遮蔽部材を設けたことを特徴とする冷蔵庫。
【請求項２】
前記冷蔵庫本体の底面前端部の両側に設けられた一対の手掛部を備え、
前記前板カバーは、前記手掛部間の空間部を後方に延びる延設部が一体に形成され、
前記遮蔽部材は、前記前板カバーの前記延設部に設けられ、前記手掛部間の空間部の前後方向を遮蔽することを特徴とする請求項１記載の冷蔵庫。
【請求項３】
前記遮蔽部材は、前記前板カバーに脱着可能に取付けられる硬質状の装着部と、この装着部に一体に設けられ、前記設置面に近接または接触する弾性状のヒレ部とから構成されていることを特徴とする請求項１または２記載の冷蔵庫。
【請求項４】
前記遮蔽部材を前記冷蔵庫本体の底面に保持させる保持部材を備えたことを特徴とする請求項１ないし３の何れかに記載の冷蔵庫。
【発明の詳細な説明】
【技術分野】
【０００１】
本発明は、冷蔵庫本体の最下端に前板カバーを装着した冷蔵庫に関する。
【背景技術】
【０００２】
冷蔵庫では、機械室に配置したコンプレッサは比較的大きなノイズ音を発生することから、その対策が種々行なわれているものの、機械室内の冷却のために機械室を密閉することは難しく、特許文献１に示されるようにコンプレッサとして密閉型コンプレッサを採用することが行なわれている。
【特許文献１】特開平７−２６９４８４号公報
【発明の開示】
【発明が解決しようとする課題】
【０００３】
しかしながら、冷蔵庫本体の底面と設置面との間に形成される空間部を通じて機械室の騒音が前方に放射されることから、静かな環境では機械室からの騒音をうるさいと感じる人も多く、さらなる低騒音化が望まれている。冷蔵庫本体の底面と設置面との間を遮蔽板で閉鎖することも考えられているが、構造が複雑となってコストが大幅に上昇すると共に搬送の支障を来たす虞がある。
本発明は上記事情に鑑みてなされたもので、その目的は、簡単な構造で搬送の支障を生じることなく、騒音の低減を図ることができる冷蔵庫を提供することにある。
【課題を解決するための手段】
【０００４】
本発明は、冷蔵庫本体の最下端に前板カバーを装着した冷蔵庫において、前記前板カバーに、前記冷蔵庫本体の底面と設置面との間に形成される空間部の前後方向を遮蔽する遮蔽部材を設けたものである。
【発明の効果】
【０００５】
本発明によれば、前板カバーに取付けられた遮蔽部材により冷蔵庫本体の底面と設置面との間の空間部の前後方向を遮蔽するようにしたので、騒音が冷蔵庫本体の底面と設置面との間の空間部を通じて前方に直接的に放射されてしまうのを防止することができ、騒音の低減を図ることができる。
また、遮蔽部材が取付けられる前板カバーは冷蔵庫本体から取外し可能であるので、冷蔵庫を搬送する際は、前板カバーを外すことにより遮蔽部材が冷蔵庫の搬送に支障となってしまうことを防止することができる。
【発明を実施するための最良の形態】
【０００６】
以下、本発明の一実施例について図面を参照して説明する。図２は冷蔵庫の正面図である。この図２において、冷蔵庫１のキャビネットをなす冷蔵庫本体２内には断熱仕切部により仕切られた複数の貯蔵室として、冷蔵庫本体２の上部から、冷蔵室３、横方向に隣接した製氷室４及び切替室５、野菜室６、冷凍室７が順に形成されている。この場合、冷蔵室３及び野菜室６により冷蔵区画が形成され、製氷室４及び切替室５並びに冷凍室７により冷凍区画が形成されている。
【０００７】
ここで、冷蔵庫本体２の最下端には前板カバー８が装着されており、その装着構造について説明する。
図３は前板カバー８を取外して示す冷蔵庫本体２下部の斜視図、図４は冷蔵庫本体２底面の斜視図である。これらの図３及び図４に示すように、冷蔵庫本体２の底面前端部には段部９（図４のみに図示）が形成されており、その両側となる部位に金属製の手掛部１０がボルト１１により固定されていると共に、その手掛部１０の外方となる部位に脚部１２（図４では省略）が固定されている。手掛部１０は、図４に示すように矩形枠形状に形成されており、枠部１０ａを手で握ることにより冷蔵庫１の持上げが容易となる。手掛部１０の前面部には取付孔１３（図３のみに図示）が形成されており、その取付孔１３に前板カバー８が装着される。
【０００８】
図１は、冷蔵庫本体２への装着状態で示す前板カバー８の縦断面図である。この図１において、前板カバー８は、前端が閉鎖され、後端が開口した横長の袋形状をなしており、前端の背面に後方に向けて立設されたスタッド１４が手掛部１０の取付孔１３に係止されることにより冷蔵庫本体２の底面と設置面Ａとの間が前板カバー８により覆われる。手掛部１０に装着された前板カバー８は、前方に強く引張ることにより手掛部１０との係止が解除されて取外し可能となっている。
手掛部１０に装着された前板カバー８において、両方の手掛部１０間となる部位には後方に延設された延設部１５が一体に形成されており、その延設部１５の後端に本発明に関連した遮蔽部材１６が装着されている。
【０００９】
以下、前板カバー８に装着された遮蔽部材１６について説明する。
図５は前板カバー８の平面図、図６は前板カバー８の正面図、図７は前板カバー８の縦断側面図である。これらの図５ないし図７において、遮蔽部材１６は、Ｕ字形状の硬質樹脂（例えば塩化ビニール）からなる装着部１７と、この装着部１７に一体形成されて下方に垂下がった軟質樹脂（例えばブチルゴム）からなるヒレ部１８とから構成されている。前板カバー８の延設部１５の後端の上下面には突起部１５ａが形成されていると共に、遮蔽部材１６の装着部１７の先端には係止部１７ａが形成されており、遮蔽部材１６が前板カバー８に装着された状態では、係止部１７ａが突起部１５ａに係止されることにより前板カバー８からの遮蔽部材１６の抜止めが図られている。この場合、遮蔽部材１６を強く引張ることにより、遮蔽部材１６の装着部１７の係止部１７ａが前板カバー８の突起部１５ａから脱出して前板カバー８からの遮蔽部材１６の取外しが可能となっている。
【００１０】
冷蔵庫本体２に前板カバー８が装着された状態では、図１に示すように遮蔽部材１６のヒレ部１８が設置面Ａに接触しており、その接触状態では、冷蔵庫本体２の底面と設置面Ａとの間の空間部の前後方向が遮蔽部材１６のヒレ部１８により遮蔽された形態となる。
尚、遮蔽部材１６の装着部の上面は、ソフトテープ（保持部材に相当）１９により冷蔵庫本体２の底面に固着されている。
【００１１】
さて、上記構成の冷蔵庫１をユーザの家に搬送して設置するには、冷蔵庫本体２の手掛部１０に装着された前板カバー８を取外し、手掛部１０の枠部１０ａを手で握って冷蔵庫１を持上げて運搬する。冷蔵庫１の設置が終了したときは、前板カバー８を手掛部１０に前方から装着する。すると、図１に示すように前板カバー８に装着された遮蔽部材１６のヒレ部１８が設置面Ａに接触した状態となり、手掛部１０間において冷蔵庫本体２の底面と設置面Ａとの間に形成される空間部の前後方向が遮蔽部材１６のヒレ部１８により遮蔽された形態となる。
【００１２】
冷蔵庫１に電源を投入すると、コンプレッサが駆動されるので、機械室から騒音が発生するようになる。この騒音は、冷蔵庫本体２の底面と設置面Ａとの間の空間部を通じて外方に放射されるようになる。
ところで、冷蔵庫の両側は、台所の設備機器が密着されて使用されるのが一般的であることから、冷蔵庫本体２の底面と設置面Ａとの間の空間部を通じて外方に放射された騒音は、主に冷蔵庫１の前方に放射されるようになり、冷蔵庫１の前方に位置するユーザにはうるさく感じるようになる。
【００１３】
しかしながら、本実施例では、遮蔽部材１６のヒレ部１８が設置面Ａに接触することにより冷蔵庫本体２の底面と設置面Ａとの間の空間部の前後方向の大部分が遮蔽されているので、冷蔵庫本体２の底面と設置面Ａとの間の空間部を通過する騒音を効果的に遮蔽して騒音を低減することができる。
【００１４】
図８は、発明者が測定した従来構造の冷蔵庫の騒音と本発明の冷蔵庫の騒音の測定結果を示しており、図中の破線が従来の冷蔵庫の騒音を示し、図中の実線が本発明の冷蔵庫の騒音を示している。この図８から分るように、冷蔵庫１からの騒音が低域から高域まで騒音が低下していることが分る。測定周波数全体の騒音レベルで比較した場合、２８ｄｂから２５ｄｂに大きく減衰しており、騒音低減の効果が大きいことが分る。このような騒音の低減効果は、遮蔽部材１６のヒレ部１８が設置面Ａに接触することにより冷蔵庫本体２の底面と設置面Ａとの間の空間部の前後方向が遮蔽され、騒音の通路が制限されることによるものである。
【００１５】
このような実施例によれば、冷蔵庫１の最下端に取付けられる前板カバー８に、冷蔵庫本体２の底面と設置面Ａとの間の空間部の前後方向を遮蔽するヒレ部１８を有した遮蔽部材１６を装着するようにしたので、冷蔵庫本体２の最下端を前板カバー８で単に覆っただけの構成のものと違って、冷蔵庫本体２の底面と設置面Ａとの間の空間部を通過して前方に放射される騒音を効果的に低減することができる。
【００１６】
しかも、このように優れた効果を奏する遮蔽部材１６を前板カバー８に取付けるようにしたので、冷蔵庫１を搬送する際は、前板カバー８を冷蔵庫本体２から取外すことにより、遮蔽部材１６が冷蔵庫１の搬送の際に支障となってしまうことを防止することができる。
【００１７】
また、遮蔽部材１６を塩化ビニルからなる装着部１７とブチルゴムからなるヒレ部１８とから一体に構成するようにしたので、低コストで実施することができる。
さらに、本実施例では、遮蔽部材１６をソフトテープ１９により冷蔵庫本体２の底面に保持させるようにしたので、ソフトテープ１９により遮蔽部材１６の上方を通過する騒音を遮蔽することができ、騒音の低減に効果的に寄与することができる。
【００１８】
本発明は、上記実施例に限定されることなく、次のように変形または拡張できる。
遮蔽部材１６全体をブチルゴムから形成するようにしてもよい。
遮蔽部材１６のヒレ部１８を複数設けて設置面Ａに接触させるようにしてもよい。
遮蔽部材１６の装着部１７の材質としては塩化ビニル以外の硬質樹脂を用いるようにしてもよいし、ヒレ部１８の材質としてはブチルゴム以外のゴムを用いるようにしてもよい。
【００１９】
遮蔽部材１６を冷蔵庫本体２の底面に固着するためのソフトテープ１９に代えて上方に湾曲したヒレ部を設け、設置面Ａに接触するのに加えて、冷蔵庫本体２の底面にも接触させるようにしてもよい。
前板カバー８の後部に遮蔽部材１６を一体に形成するようにしてもよい。この場合、前板カバー８の下面に複数のヒレ部１８を一体に設けるのが望ましい。
【図面の簡単な説明】
【００２０】
【図１】本発明の一実施例における前板カバーを示す縦断側面図
【図２】冷蔵庫の正面図
【図３】前板カバーを取外して示す冷蔵庫下部の斜視図
【図４】冷蔵庫の底面を示す斜視図
【図５】遮蔽部材の平面図
【図６】遮蔽部材の正面図
【図７】遮蔽部材の縦断側面図
【図８】従来の冷蔵庫の騒音と本発明の冷蔵庫の騒音の測定結果を示す図
【符号の説明】
【００２１】
図面中、１は冷蔵庫、２は冷蔵庫本体、８は前板カバー、１０は手掛部、１５は延設部、１６は遮蔽部材、１９はソフトテープ（保持部材）である。
【図１】
2007139271.tif 000003
【図２】
2007139271.tif 000004
【図３】
2007139271.tif 000005
【図４】
2007139271.tif 000006
【図５】
2007139271.tif 000007
【図６】
2007139271.tif 000008
【図７】
2007139271.tif 000009
【図８】
2007139271.tif 000010